(57)【要約】【課題】簡単にレイアウト変更が可能で設置容易性、配置自由度、自立性並びに安定性等にもより優れたパネルを提供する。【解決手段】前後にそれぞれ区分け面や展示面を備えるパネル本体１と、前記パネル本体１を下部の左右両端側でそれぞれ支持して自立させる脚部２と、前記脚部２を連結または当接して回動する際の他方のパネル１０の前記脚部２と相互に干渉しない位置に配置する一対のベース部材３と、前記一対のベース部材３の高さの高いベース３０の接地点３１の位置を前記連結または当接する他方のパネル１０の高さの低いベース３２の掃く扇型の円弧３４の外側に備える。【選択図】図１
2008150805.tif 000002
【特許請求の範囲】
【請求項１】
スペースの区分けや被展示体を展示するパネル本体を自立可能に支持するパネルにおいて、前後にそれぞれ区分け面や展示面を備えるパネル本体と、前記パネル本体を下部の左右両端側でそれぞれ支持して自立させる脚部と、前記脚部を連結または当接して回動する際の他方のパネルの前記脚部と相互に干渉しない位置に配置する一対のベース部材と、前記一対のベース部材の高さの高いベースの接地点の位置を前記連結または当接する他方のパネルの高さの低いベースの掃く扇型の円弧の外側に備えることを特徴とするパネル。
【請求項２】
請求項１に記載のパネルにおいて、前記パネル本体は、左側または右側に連結する他方のパネルの前記パネル本体と連結または切り離す連結切り離し手段を備えることを特徴とするパネル。
【請求項３】
請求項１または２に記載のパネルにおいて、前記パネル本体は、枠体を形成するフレームと、前記フレームが保持する１枚または複数枚のパネル板を備えることを特徴とするパネル。
【請求項４】
請求項１乃至３のいずれか一項に記載のパネルにおいて、前記パネル本体は、ディスプレイ装置を備えることを特徴とするパネル。
【請求項５】
請求項１乃至４のいずれか一項に記載のパネルにおいて、前記脚部は、前記パネル本体に固定する左右両端側の一方の脚と、前記一方の脚と同様の形状で前後逆向きに前記パネル本体に固定する左右両端側の他方の脚を備えることを特徴とするパネル。
【請求項６】
請求項１乃至５のいずれか一項に記載のパネルにおいて、前記一対のベース部材は、高い位置の前記高いベースと、前記高いベースと干渉しない低い位置の前記低いベースを備えることを特徴とするパネル。
【請求項７】
請求項６に記載のパネルにおいて、前記高いベースまたは前記低いベースは、固定する前記パネル本体との間にスペーサを備えることを特徴とするパネル。
【請求項８】
請求項６または７に記載のパネルにおいて、前記高いベースは、前記パネル本体に共に固定する前記低いベースとの間にスペーサを備えることを特徴とするパネル。
【請求項９】
請求項１乃至８のいずれか一項に記載のパネルにおいて、前記一対のベース部材は、前記低いベースの接地点を前記パネル本体に前記低いベースを固定する左側端部または右側端部から引く前記パネル本体のパネル板のパネル面に垂直な線の上に備えることを特徴とするパネル。
【請求項１０】
請求項１乃至９のいずれか一項に記載のパネルにおいて、前記一対のベース部材は、前記高いベースの接地点を前記低いベースの接地点と前記パネル本体のパネル面との距離よりも長いパネル面との距離と、前記パネル本体に前記高いベースを固定する左側端部または右側端部から引く前記パネル本体のパネル面に垂直な線の上に備えることを特徴とするパネル。
【請求項１１】
請求項１０に記載のパネルにおいて、前記高いベースと前記低いベースの長さの差は、少なくともそれぞれの接地点に取り付ける接地部材の回転半径の２倍以上を備えることを特徴とするパネル。
【請求項１２】
請求項１乃至９のいずれか一項に記載のパネルにおいて、前記一対のベース部材は、前記高いベースの接地点を前記低いベースの接地点と前記パネル本体のパネル面との距離と同じパネル面との距離と、前記高いベースの接地点を前記パネル本体に前記低いベースを固定する左側端部または右側端部から内側に固定する位置を備えることを特徴とするパネル。
【請求項１３】
請求項２乃至１２のいずれか一項に記載のパネルにおいて、前記連結切り離し手段は、一方のファスナー要素と、前記一方のファスナー要素と一対の他方のファスナー要素と、前記一方のファスナー要素及び前記他方のファスナー要素を保持する中空形状の一対の回動部材と、前記回動部材の各中空形状の内部に押さえとなる棒部材と、前記棒部材を前記パネル本体のフレームに取り付ける取り付け手段と、前記一方のファスナー要素または前記他方のファスナー要素に取り付けて前記他方のパネルの前記パネル本体と連結または切り離すスライダを備えることを特徴とするパネル。
【請求項１４】
請求項１３に記載のパネルにおいて、前記回動部材は、シート状の布部材を備えることを特徴とするパネル。
【請求項１５】
請求項１３または１４に記載のパネルにおいて、前記棒部材は、前記回動部材の中空形状の内部密着部分に曲率面を備えることを特徴とするパネル。
【発明の詳細な説明】
【技術分野】
【０００１】
本発明は、パネルに関する。詳しくは、スペースの区分けや被展示体を展示するパネル本体を自立可能に支持するパネルに関する。
【背景技術】
【０００２】
従来のパネルは、オフイス、教室や展示場等の室内外スペースにスペースの区分け用や被展示体の展示用に使用されている。このようなパネルのうち、それ自体で自立性のあるものには、パネル本体の下端部における両側端部に前後両側のパネル面よりも突出する各１本のベースを備える構成のパネルが一般的である。
ところが、このような構成の従来のパネルでは、その自立性を高めるためにベースをパネル本体の両側端に近い位置に設ける必要がある。この構成を有する複数のパネルは、隣接するパネル同士が所定角度をなす態様で配置するために回動すると、隣接するパネルのベース同士が干渉し合うことになり、パネル同士の側縁間に隙間が生じないような配置にすることが困難である。また、その不具合を解消するために、ベースをパネル本体の幅方向中央寄りに配置すると、却ってパネルの自立性が損なわれことになる。
【０００３】
そこで、簡易間仕切りに、隣接するパネルの角度が変更可能な連結機構が提案されている（特許文献１を参照）。
この簡易間仕切りのパネルは、スライダを備えた一方のファスナー要素とスライダを備えていない他方のファスナー要素とが本体部の両側端部にそれぞれ取り付けられている。連結しようとする一方の簡易間仕切りのパネルにおけるスライダを備えたファスナー要素と、他の簡易間仕切りのパネルにおけるスライダを備えていないファスナー要素とを、スライダをスライドさせることによってエレメントを歯合させるだけで、簡単かつ確実に連結するものである。
さらにパネル本体とその下端部における両側端部を支持する二つの脚部とを備えたパネルにおいて、少なくとも、一方の脚部が、パネル面の両面に対してそれぞれ所定角度をなして延びる一対のベースを有している。そして、一対のベースの一方のベースと他方のベースとを相互に干渉しない異なる位置に設けて、自立性と高い配置の自由度とを両立させ得る簡素な構造のパネルも提案されている（特許文献２を参照）。
【０００４】
しかし、多様なワークスタイルに対応するため、簡単にレイアウト変更が可能なパーティションや展示用のパネルが必要とされている。
ここで簡単にレイアウト変更可能とは、設置容易性、配置自由度、自立性、安定性のような要求を意味している。
設置容易性は、配置変更に工具など必要とせず、ユーザが自分でレイアウト変更できることである。次の配置自由度は、自由な角度、距離で並べられることである。その次の自立性は、一枚だけ単独でも利用可能である。更に安定性は、大型液晶ディスプレイ装置などの重量物を含むパネルでも転倒する危険が少ないことである。
特許文献２に記載のパネルも、角度を付けて並べる場合に、互いの脚が干渉しないことを目的としている。そして、実施例では、主に３点で接地する構成が示されているが、液晶ディスプレイ装置などの重量のあるパネルを使用する場合には、パネル両端に脚を装備するようになっている。
しかし、例えば、特許文献２に記載のような角度変更可能な連結機構がある場合、パネル両端に高さの違う脚を持つだけでは、連結したまま回動すると干渉してしまう。
【０００５】
図１０は、従来のパネル１００が連結部１０４を中心に一方と他方のパネル１００を９０度の角度で連結している基本構成の上面図である。
図１１は、従来のパネル１００が連結部１０４を中心に一方と他方のパネル１００を回動して３０度広げている基本構成の上面図である。
図１０と図１１において、従来のパネル１００は、パネル本体１０１の両端にそれぞれ高さの異なる脚部１０２の一方の脚１２０と他方の脚１２２を持っている。それぞれ一方の脚１２０の接地点１２１と他方の脚１２２の接地点１２３で各接地部材１２４のキャスター等により接地している。一方と他方の二つのパネル１００の各パネル本体１０１が角度可変な連結部１０４で連結されている。
図１０に図示する一方と他方の二つの各パネル１００が、９０度の角度で連結している場合を示し、この状態では、高さの異なる脚部１０２の一方の脚１２０と他方の脚１２２のそれぞれの脚の高さの違いにより、干渉が避けられている。
しかし、連結部１０４を中心に他方のパネル１００を回動して一方と他方の各パネル１００間の角度を３０度広げた状態を図１１に示す。図１１に図示の状態以上に角度を広げると、それぞれ一方の脚１２０の接地点１２１と他方の脚１２２の接地点１２３で各接地部材１２４のキャスターが互いに接触して、それ以上の連結または当接して回動することが出来なくなってしまう。
【０００６】
また特許文献１では、脚について、必要な場合は取り付けるとあり、脚の着脱が考慮されている。しかし、これは間仕切り本体が、軽量なために可能な方式である。液晶ディスプレイ装置など重量のあるパネルでは、設置容易性から着脱操作の容易性、および安定性では取り付けた後の信頼性の面から、着脱式または可動式の脚は不具合が多い。このように、特許文献１、２単独で、または単純に組合せるだけでは、単体でも自立し、かつ連結すると扉のように開閉できるパネルの実現は困難であった。
【特許文献１】特許第３７０４５２６号
【特許文献２】特開２００３−９６９５３公報
【発明の開示】
【発明が解決しようとする課題】
【０００７】
従来のパネルでは、連結または当接して回動する際に高さの異なるそれぞれの脚の高さの違いにより干渉が避けられても、レイアウト変更が困難であると言う問題が発生していた。
そこで本発明の課題は、このような問題点を解決するものである。即ち、簡単にレイアウト変更が可能で設置容易性、配置自由度、自立性並びに安定性等にもより優れたパネルを提供することを目的とする。
【課題を解決するための手段】
【０００８】
上記目的を達成するために、請求項１に記載の本発明は、スペースの区分けや被展示体を展示するパネル本体を自立可能に支持するパネルにおいて、前後にそれぞれ区分け面や展示面を備えるパネル本体と、前記パネル本体を下部の左右両端側でそれぞれ支持して自立させる脚部と、前記脚部を連結または当接して回動する際の他方のパネルの前記脚部と相互に干渉しない位置に配置する一対のベース部材と、前記一対のベース部材の高さの高いベースの接地点の位置を前記連結または当接する他方のパネルの高さの低いベースの掃く扇型の円弧の外側に備えるパネルであることを特徴とする。
請求項２に記載の本発明は、請求項１に記載のパネルにおいて、前記パネル本体は、左側または右側に連結する他方のパネルの前記パネル本体と連結または切り離す連結切り離し手段を備えるパネルであることを特徴とする。
【０００９】
請求項３に記載の本発明は、請求項１または２に記載のパネルにおいて、前記パネル本体は、枠体を形成するフレームと、前記フレームが保持する１枚または複数枚のパネル板を備えるパネルであることを特徴とする。
請求項４に記載の本発明は、請求項１乃至３のいずれか一項に記載のパネルにおいて、前記パネル本体は、ディスプレイ装置を備えるパネルであることを特徴とする。
請求項５に記載の本発明は、請求項１乃至４のいずれか一項に記載のパネルにおいて、前記脚部は、前記パネル本体に固定する左右両端側の一方の脚と、前記一方の脚と同様の形状で前後逆向きに前記パネル本体に固定する左右両端側の他方の脚を備えるパネルであることを特徴とする。
請求項６に記載の本発明は、請求項１乃至５のいずれか一項に記載のパネルにおいて、前記一対のベース部材は、高い位置の前記高いベースと、前記高いベースと干渉しない低い位置の前記低いベースを備えるパネルであることを特徴とする。
【００１０】
請求項７に記載の本発明は、請求項６に記載のパネルにおいて、前記高いベースまたは前記低いベースは、固定する前記パネル本体との間にスペーサを備えるパネルであることを特徴とする
請求項８に記載の本発明は、請求項６または７に記載のパネルにおいて、前記高いベースは、前記パネル本体に共に固定する前記低いベースとの間にスペーサを備えるパネルであることを特徴とする。
請求項９に記載の本発明は、請求項１乃至８のいずれか一項に記載のパネルにおいて、前記一対のベース部材は、前記低いベースの接地点を前記パネル本体に前記低いベースを固定する左側端部または右側端部から引く前記パネル本体のパネル板のパネル面に垂直な線の上に備えるパネルであることを特徴とする。
【００１１】
請求項１０に記載の本発明は、請求項１乃至９のいずれか一項に記載のパネルにおいて、前記一対のベース部材は、前記高いベースの接地点を前記低いベースの接地点と前記パネル本体のパネル面との距離よりも長いパネル面との距離と、前記パネル本体に前記高いベースを固定する左側端部または右側端部から引く前記パネル本体のパネル面に垂直な線の上に備えるパネルであることを特徴とする。
請求項１１に記載の本発明は、請求項１０に記載のパネルにおいて、前記高いベースと前記低いベースの長さの差は、少なくともそれぞれの接地点に取り付ける接地部材の回転半径の２倍以上を備えるパネルであることを特徴とする。
請求項１２に記載の本発明は、請求項１乃至９のいずれか一項に記載のパネルにおいて、前記一対のベース部材は、前記高いベースの接地点を前記低いベースの接地点と前記パネル本体のパネル面との距離と同じパネル面との距離と、前記高いベースの接地点を前記パネル本体に前記低いベースを固定する左側端部または右側端部から内側に固定する位置を備えるパネルであることを特徴とする。
【００１２】
請求項１３に記載の本発明は、請求項２乃至１２のいずれか一項に記載のパネルにおいて、前記連結切り離し手段は、一方のファスナー要素と、前記一方のファスナー要素と一対の他方のファスナー要素と、前記一方のファスナー要素及び前記他方のファスナー要素を保持する中空形状の一対の回動部材と、前記回動部材の各中空形状の内部に押さえとなる棒部材と、前記棒部材を前記パネル本体のフレームに取り付ける取り付け手段と、前記一方のファスナー要素または前記他方のファスナー要素に取り付けて前記他方のパネルの前記パネル本体と連結または切り離すスライダを備えるパネルであることを特徴とする。
請求項１４に記載の本発明は、請求項１３に記載のパネルにおいて、前記回動部材は、シート状の布部材を備えるパネルであることを特徴とする。
請求項１５に記載の本発明は、請求項１３または１４に記載のパネルにおいて、前記棒部材は、前記回動部材の中空形状の内部密着部分に曲率面を備えるパネルであることを特徴とする。
【発明の効果】
【００１３】
本発明によれば、簡単にレイアウト変更が可能で設置容易性、配置自由度、自立性並びに安定性等にもより優れたパネルを提供することが出来る。
【発明を実施するための最良の形態】
【００１４】
以下に、本発明の実施形態を、図面を参照して詳細に説明する。
図１は、本発明の実施の形態にかかるパネル１０の第１実施例の基本構成の斜視図である。図２は、本発明の実施の形態にかかるパネル１０の脚部２である低いベース３２が掃く扇型の円弧３４の拡大図である。
図１と図２において、スペースの区分けや被展示体を展示するパネル本体を自立可能に支持するパネル１０は、図示の矢印（Ａ）方向の前後方向の前後にそれぞれ区分け面や展示面を備えるパネル本体１を備えている。そのパネル本体１を下部の図示の矢印（Ｂ）方向の左右方向の左右両端側でそれぞれ支持して自立させる脚部２の一方の脚２０と他方の脚２１を備えている。その脚部２の一方の脚２０と他方の脚２１は、連結または当接して回動する際の他方のパネル１０の脚部２の一方の脚２０または他方の脚２１と相互に干渉しない位置に配置する一対のベース部材３の構成を備えている。そして、一対のベース部材３の高さの高いベース３０の接地点３１の位置を連結または当接する他方のパネル１０の高さの低いベース３２の掃く扇型の円弧３４の外側に備えている。
【００１５】
図２に図示するように、脚部２の床面からの高さの低いベース３２を備える他方のパネル１０のパネル本体１は、連結切り離し手段４を回動中心に図示の矢印（Ｃ）方向に回動する。この回動で低いベース３２の接地点３３の接地部材２２は、回動中心が連結切り離し手段４、半径が連結切り離し手段４と低いベース３２の接地点３３の接地部材２２間の扇型の円弧３４に沿って移動する。
パネル１０では、低いベース３２を備える他方のパネル１０に連結または当接して隣接する一方のパネル１０に付く高いベース３０の接地点３１の接地部材２２の位置は、扇型の円弧３４の内側の領域をまたぎ越して、その外側で接地する。
脚部２の一方の脚２０と他方の脚２１の長さは、パネル本体１のパネル面Ｐから高いベース３０の接地点３１または低いベース３２の接地点３３のそれぞれの接地部材２２までの距離である。そして、その脚部２の一方の脚２０と他方の脚２１の長さは、パネル１０の重量、重心の高さ等の条件から、最低の長さが制約される。
一方、脚部２の一方の脚２０と他方の脚２１は、パネル本体１の外に存在するので、パネル１０の前に立って、立ち作業をするユーザの邪魔になりがちである。したがって、脚部２の一方の脚２０と他方の脚２１は、ユーザの邪魔にならないという観点から、出来るだけ小さく短くすることが望ましい。
そこで、パネル１０では、連結または当接して回動する際の他のパネル１０の脚部２の一方の脚２０または他方の脚２１と相互の干渉を避けるという制約のなかで、最も短い構成を採用している。
【００１６】
図２から扇型の円弧３４の半径は、連結切り離し手段４の回動中心と低いベース３２の接地点３３の接地部材２２間の距離となることがわかる。ここで、連結切り離し手段４の回動中心と脚部２の低いベース３２の接地点３３の接地部材２２のキャスター間の距離（Ｘ）は、脚部２の低いベース３２とパネル本体１のパネル面Ｐの接合点（Ｙ）と、連結切り離し手段４と低いベース３２の接地点３３の接地部材２２間の距離からなる直角三角形（Ｚ）の斜辺となっている。
パネル１０では、脚部２の低いベース３２の長さ、即ち、接合点（Ｙ）と低いベース３２の接地点３３の接地部材２２間の距離が一定という制約の元で、脚部２の高いベース３０が越すべき扇型の円弧３４の大きさを小さくすることである。
そのために、直角三角形（Ｚ）の底辺、即ち、連結切り離し手段４の回動中心と接合点（Ｙ）の長さを小さくする、つまり脚部２の低いベース３２をパネル本体１の左側または右側の両端部に出来るだけ近く取り付けることが有利である。
そこで、一対のベース部材３の低いベース３２の接地点３３となる接地部材２２は、パネル本体１に低いベース３２を固定する左側端部または右側端部から引くパネル本体１のパネル面Ｐに垂直な線３７の上に備えられる。
従って、使用者の邪魔をしない、脚部２の存在範囲を最小化するパネル１０を提供することが出来る。
【００１７】
図３は、本発明の実施の形態にかかるパネル１０の脚部２である低いベース３２をパネル本体１に取り付ける基本構成の拡大図である。
図３において、脚部２である一対のベース部材３の低いベース３２の接地点３３は、パネル本体１に低いベース３２を固定する左側端部または右側端部から引くパネル本体１のパネル面Ｐに垂直な線３７の上に取り付けられる。尚、接地点３３は、接地部材２２のキャスターなどの大きさを考慮する面積を持っている。
低いベース３２を備える他方のパネル１０に連結または当接して隣接する一方のパネル１０に付く脚部２の一方の脚２０である高いベース３０の接地点３１の位置は、扇型の円弧３４の内側の領域をまたぎ越して、その外側で接地する。パネル１０では、この接地点３１の配置に自由度はあるが、典型的には以下の二つの構成を備えている。
【００１８】
第１の構成は、図中で（Ｈ０）で示す位置を高いベース３０の接地点３１の接地部材２２のキャスターを一方の脚２０とする。つまり、一方の脚２０は、一方のパネル１０のパネル本体１の端部に、他方のパネル１０のパネル本体１に付く低いベース３２の接地点３３の接地部材２２のキャスターの他方の脚２１よりも長い構成である。
即ち、一対のベース部材３は、高いベース３０の接地点３１を低いベース３２の接地点３３とパネル本体１のパネル面Ｐとの距離よりも長い。そして、高いベース３０の接地点３１をパネル本体１に高いベース３０を固定する左側端部または右側端部から引くパネル本体１のパレル板１２のパネル面Ｐに垂直な線３７の上に備える。尚、接地点３１は、接地部材２２のキャスターなどの大きさを考慮する面積を持っている。
【００１９】
パネル本体１の左側端部または右側端部に高いベース３０の接地点３１を取り付けることにより、図示のように２枚の一方のパネル１０と他方のパネル１０の両パネル本体１を同方向に隣接させる。この場合に、脚部２の２本の一方の脚２０と他方の脚２１の高いベース３０と低いベース３２が一体化し、パネル本体１の正面の中央付近側に脚部２が出ないので邪魔になりにくい。即ち、パネル面Ｐの前に立つ使用者の邪魔をしない。
また、図示しないが、２枚の一方のパネル１０と他方のパネル１０の両パネル本体１を直角に隣接させる。この場合に、互いの脚部２の２本の一方の脚２０と他方の脚２１の高いベース３０と低いベース３２がパネル本体１の付近に位置するため邪魔になりにくい。ただし、絶対的な脚部２の長さは長くなってしまう。
【００２０】
第２の構成は、図中で（Ｈ１）で示す位置を高いベース３０の接地点３１の接地部材２２のキャスターを一方の脚２０とする。つまり、一方の脚２０の高いベース３０は、一方のパネル１０のパネル本体１の端部より少し内側に、他方のパネル１０のパネル本体１に付く低いベース３２の接地点３３の接地部材２２のキャスターの他方の脚２１と同じ長さを持つ構成である。
即ち、一対のベース部材３は、高いベース３０の接地点３１を低いベース３２の接地点３３とパネル本体１のパネル面Ｐとの距離と同じ長さである。そして、高いベース３０の接地点３１をパネル本体１に低いベース３２を固定する左側端部または右側端部から内側に固定する位置を備える。
脚部２の構成が、高いベース３０と低いベース３２が同じ長さの構成により、低いベース３２の長さがもともと最低限に設定されるので、脚部２の絶対的な長さが最小限に抑えられる。したがって、パネル１０の付近を通行する使用者等に邪魔にならない。
また、脚部２の一方の脚２０と他方の脚２１の各高いベース３０と低いベース３２の長さが均一なので、パネル１０を壁際に配置する場合に壁面と平行に並べられる。そして、脚部２と部屋の壁などとの干渉を避けることが出来る。
他方、脚部２の一方の脚２０の高いベース３０が、パネル本体１の端部より少し内側の中央付近側に存在するため、パネル板１２のパネル面Ｐの前に立つ使用者の邪魔になる可能性はある。
【００２１】
その他のバリエーションとして、実際には連結切り離し手段４の構成により回動中心の位置は変る。例えば、特許文献１に記載のようなファスナーによる連結する機構では、柔軟な布を介することになるので明確な回転中心は定かではない。しかし、およそパネル本体１の端部を中心として回転させることになるので、若干の余裕をみれば、上記説明はそのまま適用することが出来る。
また、脚部２の一方の脚２０と他方の脚２１の高いベース３０と低いベース３２は、パネル本体１のパネル面Ｐに垂直に延びているものと説明してきた。しかし、脚部２の一方の脚２０と他方の脚２１の高いベース３０と低いベース３２は、パネル本体１との接続方式、形状はこれに限らない。
即ち、パネル本体１のパネル面Ｐからそれぞれの接地点３１、３３までの距離が重要である。例えば、パネル本体１の中心部から放射状に延びる高いベース３０と低いベース３２を用いる等、いろいろな形状も適用することが出来る。
【００２２】
以下に、本発明のパネル１０の第１実施例を説明する。
本発明のパネル１０の第１実施例の全体構成を図１に示す。パネル本体１の下部の左右両端側に脚部２の一方の脚２０と他方の脚２１が取り付けられる。そして、パネル本体１の左側または右側に連結する他方のパネル１０のパネル本体１と連結または切り離すファスナーによる連結切り離し手段４が取り付けられる。
図４は、本発明の実施の形態にかかるパネル１０のパネル本体１の基本構成の展開図である。
図４において、パネル本体１は、４本の金属材料の角柱パイプを組み合わせて枠体を形成するフレーム１１と、フレーム１１の片面または両面、または中間に張り付けて保持する１枚または複数枚のパレル板１２を備えている。
パネル板１２は、アクリル板、木材板、ガラス板等のいろいろな素材や、パネル板１２の途中にフレーム１１で保持するプラズマや液晶などの平面型のディスプレイ装置１３を組込んで備えている。
【００２３】
図５は、本発明の実施の形態にかかるパネル１０の連結切り離し手段４の基本構成の斜視図である。
図６は、本発明の実施の形態にかかるパネル１０の連結切り離し手段４を取り付けるパネル本体１の断面図である。
図５と図６において、連結切り離し手段４は、一方のファスナー要素４０と、一方のファスナー要素４０と一対の他方のファスナー要素４１を備えている。そして、一方のファスナー要素４０及び他方のファスナー要素４１を保持する中空形状の一対の回動部材４２、４３も備えている。更に、回動部材４２、４３の各中空形状の内部に押さえとなる棒部材４４、４５と、その棒部材４４、４５をパネル本体１のフレーム１１に取り付ける取り付け手段４６、４７を備えている。その一方のファスナー要素４０または他方のファスナー要素４１に取り付けて他のパネル１０のパネル本体１と連結または切り離すスライダ４８も備えている。
【００２４】
図５に図示するように袋状にした回動部材４２、４３は、図示の矢印（Ｄ）方向の内部方向に押さえとなる棒部材４４、４５を入れる。そして回動部材４２、４３のシート状の合成繊維等を含む布部材に空けた各穴５０から棒部材４４、４５をフレーム１１に取り付け手段４６、４７の螺子で螺子止めにより取り付ける。
回動部材４２、４３は、シート状の合成繊維等を含む布部材を備えているから、確実に回動し、加工が容易で低コストである。回動部材４２、４３は、棒部材４４、４５の回動部材４２、４３の中空形状の内部密着部分に曲率面４９を備えているから、パネル本体１側からの強い引っ張り力で引っ張られても、切断や破損を防止して耐久性を増すようになっている。
【００２５】
図６に図示するようにパネル本体１のフレーム１１の左側面または右側面には、図示しない他方のパネル１０のパネル本体１と連結または切り離す連結切り離し手段４を取り付ける。連結切り離し手段４の一方のファスナー要素４０と他方のファスナー要素４１は、回動部材４２、４３を介してパネル本体１のフレーム１１の左側面または右側面に取り付ける。そして、一方のファスナー要素４０と他方のファスナー要素４１は、一対として取り付けられている。
一対の一方のファスナー要素４０と他方のファスナー要素４１の両者は、どちらか一方はスライダ４８が有り、他方はスライダ４８が無い状態でフレーム１１の左側面または右側面に取り付けられる。従って、二つのパネル１０の端部同士に、必ずスライタ４８が有り無しの組み合わせが確保される。
【００２６】
図７は、本発明の実施の形態にかかるパネル１０の第１実施例の一対のベース部材３の基本構成の斜視図である。
図７において、パネル本体１のフレーム１１の下部の左右両端側には、それぞれ支持して自立させる脚部２の一方の脚２０と図示しない他方の脚２１を取り付ける。脚部２の一方の脚２０と図示しない他方の脚２１は、連結または当接して回動する際の図示しない他のパネル１０の脚部２の一方の脚２０または他方の脚２１と相互に干渉しない位置に配置する一対のベース部材３で構成される。脚部２の一方の脚２０と図示しない他方の脚２１の一対のベース部材３は、接地点３１、３３となる接地部材２２のキャスター等を軸に回動する矩形形状の二つ高いベース３０と低いベース３２を備えている。そして高い位置の高いベース３０と、高いベース３０と干渉しない低い位置の低いベース３２をフレーム１１の下部に取り付けられる。
【００２７】
高いベース３０は、固定するパネル本体１のフレーム１１との間にスペーサ３５を備えて、図示しないパネル１０のフレーム１１との間の干渉を避けるようになっている。更に、高いベース３０は、パネル本体１のフレーム１１に共に固定する低いベース３２との間にスペーサ３６を備えて、図示しないパネル１０の低いベース３２との間の干渉を避けるようになっている。
高いベース３０と低いベース３２は、スペーサ３５、３６を挟み図示の矢印（Ｅ）方向の下方向からフレーム１１へ取り付け螺子３８で螺子止めにより固定して取り付けられる。
また、それぞれの高いベース３０と低いベース３２の先端下部には、接地点３１、３３となる接地部材２２のキャスター等が取り付けられるが、高いベース３０は高い位置にあるので、その分、垂直部材３９を介して高さを合せている。
ここで、前述の図３の（Ｈ０）に相当する第１の構成とするため、前後の高いベース３０と低いベース３２の長さは、上側の高いベース３０の長さ（Ｌ）を下側の低いベース３２の長さ（ｌ）よりも長く（Ｌ＞ｌ）する。更に、上側の高いベース３０の長さ（Ｌ）と下側の低いベース３２の長さ（ｌ）の差（Ｌ−ｌ）は、接地点３１、３３となる接地部材２２のキャスター等同士で衝突しないように、接地部材２２のキャスター等の回転半径の二倍以上とする。
【００２８】
また、脚部２の図示しない他方の脚２１は、一方の脚２０と同様の形状で前後逆向きにパネル本体１のフレーム１１に取り付ける。つまり、図１に図示する一方の脚２０の一対のベース部材３の高いベース３０と他方の脚２１の一対のベース部材３の高いベース３０は、それぞれ同じ形状である。更に、一方の脚２０の一対のベース部材３の低いベース３２と他方の脚２１の一対のベース部材３の低いベース３２は、それぞれ同じ形状にしてあるから、複数のパネル１０同士を隣接した時に干渉を防止できる。
従って、本発明のパネル１０は、パネル本体１の正面の中央付近側に脚部２が出ないのでパネル面Ｐの前に立つ使用者の邪魔をすることなく、簡単にレイアウト変更が可能で設置容易性、配置自由度、自立性並びに安定性等にもより優れている。ここで、設置容易性は、配置変更に工具など必要とせず、使用者等が自分でレイアウト変更できることである。次の配置自由度は、自由な角度、距離で並べられることである。その次の自立性は、一枚だけ単独でも利用可能である。更に安定性は、大型液晶ディスプレイ装置などの重量物を含んでも転倒する等の危険が少ないことである。
【００２９】
以下に、本発明のパネル１０の第２実施例を説明する。
図８は、本発明の実施の形態にかかるパネル１０の第２実施例の基本構成の斜視図である。
図９は、本発明の実施の形態にかかるパネル１０の第２実施例の一対のベース部材３の基本構成の斜視図である。
本発明のパネル１０の第２実施例の全体構成を図８に示す。本発明のパネル１０の第２実施例は、前述の図３の（Ｈ１）で示す位置を高いベース３０の接地点３１の接地部材２２のキャスターを一方の脚２０とする。つまり、一方の脚２０の高いベース３０は、一方のパネル１０のパネル本体１の端部より少し内側に、他方のパネル１０のパネル本体１に付く低いベース３２の接地点３３の接地部材２２のキャスターの他方の脚２１と同じ長さを持つ構成である。
【００３０】
実施例１との違いは、高いベース３０の長さと、取り付ける位置の違いである。図９に一方の脚２０の一対のベース部材３を図示するように、本発明のパネル１０の第２実施例では、前後の高いベース３０と低いベース３２は別体となり、それぞれがパネル本体１のフレーム１１の下部に単独で取り付けられる。
低い位置の低いベース３２は、実施例１と同様にパネル本体１のフレーム１１の端部に取り付ける。ただし本実施例では、ここに高いベース３０が無いために、実施例１より厚いスペーサ３５を挟む。そして、図示の矢印（Ｆ）方向の下方向から、低いベース３２をフレーム１１へ取り付け螺子３８で螺子止めにより固定して取り付けられる。低いベース３２の高さと長さは、実施例１と同じである。
高い位置の高いベース３０は、実施例１とほぼ同じ形状だが、低いベース３２と同じ長さを持ち、パネル本体１のフレーム１１の端部より少し内側にスペーサ３５を挟む。そして、図示の矢印（Ｇ）方向の下方向からフレーム１１へ取り付け螺子３８で螺子止めにより固定して取り付けられる。
【００３１】
本発明のパネル１０は、第２実施例の構成により、図３に図示したように、同じ長さの高いベース３０と低いベース３２を使いながら、連結または当接した状態で角度を変更して回動することが可能となる。
また、第１実施例と第２実施例で、低いベース３２の高さと長さを同じとしたので、これらのパネル１０を混在して使用することも出来る。
従って、本発明のパネル１０は、高いベース３０と低いベース３２が同じ長さの構成により、低いベース３２の長さがもともと最低限に設定されるので、脚部２の絶対的な長さが最小限に抑えられる。そして、パネル１０の付近を通行する使用者等に邪魔にならない。更に、脚部２の一方の脚２０と他方の脚２１の各高いベース３０と低いベース３２の長さが均一なので、パネル１０を壁際に配置する場合に壁面と平行に並べられ、脚部２と部屋の壁などとの干渉も避けて簡単にレイアウト変更が可能でより優れている。
簡単にレイアウト変更が可能でより優れていると言うことは、設置容易性、配置自由度、自立性並びに安定性等にもより優れていることである。ここで、設置容易性は、配置変更に工具など必要とせず、使用者等が自分でレイアウト変更が出来ることである。次の配置自由度は、自由な角度、距離で並べられることである。その次の自立性は、一枚だけ単独でも利用可能である。更に安定性は、大型液晶ディスプレイ装置などの重量物を含んでも転倒する等の危険が少ないことである。
【図面の簡単な説明】
【００３２】
【図１】本発明の実施の形態にかかるパネルの第１実施例の基本構成の斜視図である。
【図２】本発明の実施の形態にかかるパネルの脚部である低いベースが掃く扇型の円弧の拡大図である。
【図３】本発明の実施の形態にかかるパネルの脚部である低いベースをパネル本体に取り付ける基本構成の拡大図である。
【図４】本発明の実施の形態にかかるパネルのパネル本体の基本構成の展開図である。
【図５】本発明の実施の形態にかかるパネルの連結切り離し手段の基本構成の斜視図である。
【図６】本発明の実施の形態にかかるパネルの連結切り離し手段を取り付けるパネル本体の断面図である。
【図７】本発明の実施の形態にかかるパネルの第１実施例の一対のベース部材の基本構成の斜視図である。
【図８】本発明の実施の形態にかかるパネルの第２実施例の基本構成の斜視図である。
【図９】本発明の実施の形態にかかるパネルの第２実施例の一対のベース部材の基本構成の斜視図である。
【図１０】従来のパネルが連結部を中心に一方と他方のパネルを９０度の角度で連結している基本構成の上面図である。
【図１１】従来のパネルが連結部を中心に一方と他方のパネルを回動して３０度広げている基本構成の上面図である。
【符号の説明】
【００３３】
１…パネル本体、２…脚部、３…一対のベース部材、４…連結切り離し手段、１０…パネル、１１…フレーム、１２…パネル板、１３…ディスプレイ装置、２０…一方の脚、２１…他方の脚、２２…接地部材、３０…高いベース、３１…接地点、３２…低いベース、３３…接地点、３４…扇型の円弧、３５、３６…スペーサ、３７…垂直な線、３８…取り付け螺子、３９…垂直部材、４０…一方のファスナー要素、４１…他方のファスナー要素、４２、４３…回動部材、４４、４５…棒部材、４６、４７…取り付け手段、４８…スライダ、４９…曲率面、５０…穴、１００…パネル、１０１…パネル本体、１０２…脚部、１０４…連結部、１２０…一方の脚、１２１…接地点、１２２…他方の脚、１２３…接地点、１２４…接地部材
【図１】
2008150805.tif 000003
【図２】
2008150805.tif 000004
【図３】
2008150805.tif 000005
【図４】
2008150805.tif 000006
【図５】
2008150805.tif 000007
【図６】
2008150805.tif 000008
【図７】
2008150805.tif 000009
【図８】
2008150805.tif 000010
【図９】
2008150805.tif 000011
【図１０】
2008150805.tif 000012
【図１１】
2008150805.tif 000013